(57)【要約】【課題】金属薄膜を蓋体の容器内方に相当する側からシールするタイプの蓋体について、切れ残りを、より蓋体の内方側へ折り曲げる。【解決手段】開口部に沿って該膜体を切り開け開封した後の切れ残りを折り曲げ処理するための治具であって、該折り曲げ処理を行うための、該開口部の側縁面を均すための側面均し部と、該側面均し部より先側に設けられた屈曲部とを備えている。【効果】側面均し部と、さらにその先側に設けられた屈曲部によって、折り曲げ・折り返されるため、切れ残った膜体の切断端縁が容器内方側かつ、蓋体開口端縁より外方に折り曲げられるので、膜体の切れ残りの端縁が容器内に隠れ、容器蓋開口部で手などを怪我するおそれが少なくなる。【選択図】図５
2008143531.tif 000002
【特許請求の範囲】
【請求項１】
開口部を有する容器の蓋体に、該蓋体の容器内方に相当する側から、少なくとも金属薄膜からなる膜体を、開口部を取り囲むようシールし、容器へ固着する容器蓋について、該開口部に沿って該膜体を切り開け開封した後の切れ残りを折り曲げ処理するための治具であって、該折り曲げ処理を行うための、該開口部の側縁面を均すための側面均し部と、該側面均し部より先側に設けられた屈曲部とを備えたことを特徴とする、切れ残り折り曲げ治具。
【請求項２】
前記側面均し部から前記屈曲部までの形状は、前記蓋体開口部の側縁面から蓋体の容器内方に相当する側の面に沿った形状であることを特徴とする、請求項１に記載の切れ残りを折り曲げ治具。
【請求項３】
前記切れ残り折り曲げ治具は板状であることを特徴とする、請求項１または２のいずれかに記載の切れ残りを折り曲げ治具。
【請求項４】
前記切れ残り折り曲げ治具は、前記膜体を切り開け開封するための治具と一体となっていることを特徴とする、請求項１〜３のいずれかに記載の切れ残りを折り曲げ治具。
【請求項５】
前記開口部は平面からみて円形であって、前記膜体を切り開け開封するための治具部分は該円形の開口部に沿って回転可能なカッター台座と、該カッター台座から下方へ突出し、円形開口部の直径以下の同心円上に配置された３個以上の刃と、該カッター台座上方に外方へ延出する鍔部と、からなり、前記切れ残り折り曲げ治具は、該鍔部に備わっていることを特徴とする、請求項１〜４のいずれかに記載の切れ残りを折り曲げ治具。
【発明の詳細な説明】
【技術分野】
【０００１】
本発明は切断開封された、アルミ箔等からなるシール蓋の切れ残りを折り曲げ処理するための治具に関する。
【背景技術】
【０００２】
近年、特許文献１，２に記載されているような陽圧容器用の蓋であって、蓋体開口部に容器内方に相当する側から金属薄膜を、開口部を取り囲むようシールした、粉体陽圧密封蓋が開発されている。
【０００３】
この蓋を開封する治具として特許文献１，３，４に記載されているカッターが使われるが、金属薄膜を切断開封後、開口端の切れ残りによって、手などを怪我するおそれがあるため、使い難いものとなっていた。
【０００４】
蓋体の開口部の切れ残りから保護する治具としては特許文献５，６に記載されているような、開封治具をそのまま蓋体の開口部に載置して保護するものが開示され、また、蓋体の開口端処理を兼ねた開封治具としては特許文献７〜９に記載された、切れ残りを容器内方に折り曲げる治具が開示されている。
【特許文献１】特開２００４−１６８３１８号公報
【特許文献２】特開２００５−３２９９６１号公報
【特許文献３】特開２００５−２３１６４０号公報
【特許文献４】特開２００６−０２７７３２号公報
【特許文献５】実開昭６２−０８７０９４号公報
【特許文献６】実開昭６２−０８７０９５号公報
【特許文献７】実開昭５３−０３９６７２号公報
【特許文献８】実開昭５６−０９４７９１号公報
【特許文献９】実開昭６１−０８３５９５号公報
【発明の開示】
【発明が解決しようとする課題】
【０００５】
しかし、特許文献５，６の方式だと、開口部がより狭くなるため、粉体をスプーンなどで取り出しにくくなる。また、特許文献７〜９の方式については、切れ残りを蓋の垂下に折り曲げる機能は有するが、特許文献１，２に記載されているような、金属薄膜を蓋体の容器内方に相当する側からシールするタイプの蓋体について、切れ残りを、より蓋体の内方側へ折り曲げる（切れ端が開口側と反対の側を向くようにする）ための改善の余地がある。
【０００６】
本発明は、この切れ残りを、より蓋体の内方側へ折り曲げるための改善した治具を提供することを目的とする。
【課題を解決するための手段】
【０００７】
この目的に対し、本発明の切れ残り折り曲げ治具は、開口部を有する容器の蓋体に、該蓋体の容器内方に相当する側から、少なくとも金属薄膜からなる膜体を、開口部を取り囲むようシールし、容器へ固着する容器蓋について、該開口部に沿って該膜体を切り開け開封した後の切れ残りを折り曲げ処理するための治具であって、該折り曲げ処理を行うための、該開口部の側縁面を均すための側面均し部と、該側面均し部より先側に設けられた屈曲部とを備えたことを特徴としている。
【０００８】
前記側面均し部から前記屈曲部までの形状は、前記蓋体開口部の側縁面から蓋体の容器内方に相当する側の面に沿った形状であることを特徴とする。
【０００９】
前記切れ残り折り曲げ治具は板状であることを特徴とする。
【００１０】
前記切れ残り折り曲げ治具は、前記膜体を切り開け開封するための治具と一体となっていることを特徴とする。
【００１１】
前記開口部は平面からみて円形であって、前記膜体を切り開け開封するための治具部分は該円形の開口部に沿って回転可能なカッター台座と、該カッター台座から下方へ突出し、円形開口部の直径以下の同心円上に配置された３個以上の刃と、該カッター台座上方に外方へ延出する鍔部と、からなり、前記切れ残り折り曲げ治具は、該鍔部に備わっていることを特徴とする。
【発明の効果】
【００１２】
この切れ残り折り曲げ治具は、開口部に切れ残った膜体を、側面均し部と、さらにその先側に設けられた屈曲部によって、折り曲げ・折り返されるため、切れ残った膜体の切断端縁が容器内方側かつ、蓋体開口端縁より外方に折り曲げられるので、膜体の切れ残りの端縁が容器内に隠れ、容器蓋開口部で手などを怪我するおそれが少なくなる。
【００１３】
折り曲げ治具の側面均し部から屈曲部までの形状を蓋体開口部の側縁面から蓋体の容器内方に相当する側の面に沿った形状とすることで、切れ残った膜体を蓋体開口部の形状に沿ってしごき均すことが可能となり、一旦折り曲げた膜体切れ残りが弾性的に反り戻るおそれが少なくなる。
【００１４】
切れ残り折り曲げ治具を板状にすることによって収まりがよくなり、携帯または収納性に優れるようになる。
【００１５】
切れ残り折り曲げ治具を、膜体を切り開け開封するための治具と一体とすることで、治具が多数になることなく利便性に優れるようになる。
【００１６】
平面からみて円形の蓋体開口部に沿って、膜体を、治具を回転させることによって開封可能な構成にした開封治具の鍔部に、切れ残り折り曲げ治具を備えることで、更に使いやすいものとなる。
【発明を実施するための最良の形態】
【００１７】
以下に、本発明を図示の実施形態に基づいて説明する。
【００１８】
図１には本発明の切れ残り折り曲げ治具を活用する前の密封容器であって、缶体である容器２に、内容物を充填後、蓋体１を用いて二重巻き締め部４により固着・密封した密封容器３が示されている。
【００１９】
この密封容器の内容物は主としてレギュラーコーヒーや青果物等、経時劣化により特定のガスを排出するものが選ばれ、その特定のガスを内容物と共に密封容器３に加圧封入することで、経時劣化を抑えるようにしている。例えば、レギュラーコーヒーを封入する際は、ドライアイスと共に封入し、密封後、レギュラーコーヒーを密封した密封容器３内を二酸化炭素で陽圧状態にしておく。
【００２０】
密封に用いる蓋体１には天板に開口部９が設けられ、開口部９を塞ぎ、かつ、密封容器３内のガス圧に耐え易くするため、天板の容器内面側から膜体であるフィルム５がシール部１１によってシールされている。
フィルム５としては、密封容器３内のガス圧に耐えられるよう、硬い材料が選ばれ、主としてアルミ箔などの金属薄膜を含む多層フィルムが選ばれる。
【００２１】
また、開口部９の端部はカール部７により怪我防止のための端縁処理が施されている。
【００２２】
これらの構成を採ることで、内容物を加圧封入された密封容器３のフィルム５は密封容器３の内圧によって外方へドーム状に膨れた状態となる。
【００２３】
図２には、本発明である、切れ残り折り曲げ治具２０が示されている。この切れ残り折り曲げ治具２０は、上述の蓋体１に貼り付けられたフィルム５を破り開封するためのフィルム蓋開封具と一体となっている。すなわち、図２に示されるように、フィルム蓋開封具３０の鍔部２２に切れ残り折り曲げ部２４が設けられている。
【００２４】
フィルム蓋開封具３０は円形状の台座にフィルム５を切断するための切刃３２を３個以上（図では８個）円形である蓋体開口部９の直径以下の同心円上に配置された部材で、まず、図３に示すように、開封時にフィルム５に突き立て押し込むことにより、切刃３２によってフィルムに開けられた切れ目と切刃３２との隙間や、必要に応じて切刃に設けられた溝３４などから、密封容器内のガスが容器外に放出される。
【００２５】
フィルム５を切除する際は、そのままフィルム開封具３０を回転させて、フィルム５を切り落とす。
【００２６】
図４に示されるように、フィルムを切り落とした後の開口端部は、一旦蓋体の下方に向いていた切れ残り端３６がフィルムの弾性により開口部９の内側を向くよう戻るため、このままでは容器内の奥に入った内容物を手、または短いスプーンなどで取り出す際、手・指などが切れ残り端３６に触り、怪我をする虞がある。
【００２７】
そこで、切れ残り折り曲げ部２４を使って、切れ残り端３６が開口部９の反対側を向くように処理をする。
【００２８】
切れ残り折り曲げ部２４は、開口部９の開口端８に沿いやすいよう、開口端断面に近い形状をした側面均し部２６と、側面均し部から先端側に位置し、切れ残り端３６が開口部９の反対側を向くように突出する屈曲部２８と、からなる。
【００２９】
本形態では、側面均し部２６はカール部７に近い略円弧状の形状を有している。また、屈曲部２８も、側面均し部２６から引き続き、カール部７のおわりから蓋体１の内面にかけての形状に沿った形状を有している（図５参照）。側面均し部２６と屈曲部２８はなるべく蓋体の開口端から内面側にかけての開口端断面形状に沿った方が、切れ残り端３６が開口部９の反対側を向くように折り癖をつけやすくなるため好ましい。
【００３０】
この切れ残り折り曲げ治具２０の使い方は図５に示すように、側面均し部２６から屈曲部２８にかけての部分を蓋体１の開口端８から内面側にかけての部分に掛けるように載置し、切れ残り端３６の一部を開口部９の反対側を向くように曲げる。この状態で、切れ残り折り曲げ治具２０を開口部９の縁に沿って一周以上回す。そして、切れ残り端３６を全部、開口部９の反対側を向くように曲げる（図６参照）。
【００３１】
なお、図５に示されるように、切れ残り折り曲げ治具２０を開口部９の縁に沿って一周以上回す際、二重巻き締め部４にも切れ残り折り曲げ治具２０（フィルム蓋開封具３０）が載置されているので、安定した状態で回し、切れ残り端３６を全部、開口部９の反対側を向くように曲げることができる。
【００３２】
以上、切れ残り折り曲げ治具２０について説明したが、構成は本実施形態に限らず、本発明の用紙を逸脱しない範囲での変更は適宜可能である。
【００３３】
例えば、フィルム蓋開封具の複数の鍔部に設けても良いし、側面均し部と屈曲部を、左利きの人に使いやすいように図２の鍔部の逆の側に設けても良いし、右利き・左利き共用に、逆向きに備えた切れ残り折り曲げ治具を１つずつ以上設けても良いし、鍔部の両側に設けても良い。
【００３４】
さらには、切れ残り折り曲げ治具２０はフィルム蓋開封具３０とは別の単体の治具であっても良いし、板状に限らず、丸棒を屈曲させた治具であっても良い（図７参照）。
【産業上の利用可能性】
【００３５】
以上、切れ残り折り曲げ治具２０は粉体陽圧密封蓋の開口端の処理に適しているが、陰圧容器用蓋のように開口端部を容器外面側より、フィルムをシールする場合にも容器内方側へ切れ残り端を折り曲げることが可能となり、その際は、前述の実施形態のように蓋体にカール処理を施さずとも、蓋体開口端をフィルムの折り曲げ処理を行うことで開口端縁のエッジを保護出来るという、副次的効果も得られる（図８参照）。
【図面の簡単な説明】
【００３６】
【図１】本発明の実施形態に係る治具を活用する密封容器を示す図面で、（ａ）斜視図，（ｂ）平面図，（ｃ）蓋体の裏面部分，（ｄ）密封容器上部の（ｂ）図におけるＡ−Ａ断面図である。
【図２】本発明の実施形態に係る治具で、上から、平面図，正面図，平面図におけるＢ−Ｂ断面図，底面図である。
【図３】本発明の実施形態に係る治具の蓋体開封時の使用方法を示す図である。
【図４】本発明の実施形態に係る治具の蓋体開封後の蓋体の状況を示す図である。
【図５】本発明の実施形態に係る治具の使用状況を示す図であって、切れ残り端が開口部の反対側を向くように処理する状況を示している。
【図６】本発明の実施形態に係る治具を用いて、蓋体切れ残り端が開口部の反対側を向くように処理した後の蓋体を示す図である。
【図７】本発明の実施形態に係る治具の別形態を示す図であって、（ａ）板状切れ残り折り曲げ治具（単体斜視図），（ｂ）板状切れ残り折り曲げ治具（単体斜視図）を示す。
【図８】本発明の副次的効果を示す図である。
【符号の説明】
【００３７】
１  蓋体
２  容器
３  密封容器
４  二重巻き締め部
５  フィルム
７  カール部
８  開口端
９  開口部
１１  シール部
２０  切れ残り折り曲げ治具
２２  鍔部
２４  切れ残り折り曲げ部
２６  側面均し部
２８  屈曲部
３０  フィルム開封具
３２  切刃
３４  溝
３６  切れ残り端
【図３】
2008143531.tif 000003
【図４】
2008143531.tif 000004
【図５】
2008143531.tif 000005
【図１】
2008143531.tif 000006
【図２】
2008143531.tif 000007
【図６】
2008143531.tif 000008
【図７】
2008143531.tif 000009
【図８】
2008143531.tif 000010